(57)【特許請求の範囲】
【請求項１】
展示される状態にある美術品等の貴重な作品の上方、下方又は側方の平常時の作品の鑑賞の妨げにならない前記作品から離れた所に複数の保護部材が設けられ、地震動が所定値を越えた時に、保護部材が作品の周囲に降下、上昇又は突出し、降下、上昇又は突出した保護部材にて作品の転倒又は転倒による損傷を防止するようにしたことを特徴とする美術品等の保護装置。
【請求項２】
美術品等の作品の上方に支持体が設けられ、下端に錘の付いた折り畳んだ保護スクリーンの上端が支持体で支持され、作品の上方に可動支持片が設けられ、該可動支持片にて保護スクリーンが折り畳まれた状態で支持され、地震動が所定値を越えた時に可動支持片を動かして、可動支持片による保護スクリーンの支持をやめ、錘等に作用する重力により保護スクリーンを作品の周囲に降下させ、作品の周囲に降下した保護スクリーンにて作品の転倒又は転倒による損傷を防止するようにしたことを特徴とする美術品等の保護装置。
【請求項３】
底板と上板と複数の側板とからなる箱状体で構成されている美術品等の作品の展示ケースにおいて、各側板の上部が透視できないように構成され、箱状体内の上部に蛇腹状に折り畳まれかつその下端に錘の付いた保護スクリーンが複数配され、各保護スクリーンの上端が展示ケースの上端に固着され、箱状体内の上部に複数の可動支持片が設けられ、可動支持片により各保護スクリーンが蛇腹状に折り畳まれた状態で支持され、地震動が所定値を越えた時に、検知手段にてその地震動を検知して各可動支持片を動かし、可動支持片による各保護スクリーンの支持をやめ、錘等に作用する重力により保護スクリーンを作品の周囲に降下させ、作品の周囲に降下した保護スクリーンにて作品の転倒又は転倒による損傷を防止するようにしたことを特徴とする美術品等の保護装置。
【請求項４】
展示される状態にある美術品等の貴重な作品の下方、上方又は側方の平常時の作品の鑑賞の妨げにならない前記作品から離れた所に複数の保護エアバッグ装置が設けられ、保護エアバッグ装置が折り畳んだ保護エアバッグ、インフレータ等で構成され、地震動が所定値を越えた時に、インフレータを作動させて折り畳まれた保護エアバッグを急激に膨張させ、保護エアバッグを作品のまわりに膨出させ、作品のまわりに膨出した保護エアバッグにて作品の転倒又は転倒による損傷を防止するようにしたことを特徴とする美術品等の保護装置。
【請求項５】
展示される状態にある美術品等の貴重な作品の支持部の周囲の平常時の作品の鑑賞の妨げにならない前記支持部から離れた支持床内に平面視で作品を囲むように複数の保護エアバッグ装置が設けられ、各保護エアバッグ装置が折り畳んだ保護エアバッグ、インフレータ及び制御回路で構成され、該制御回路中に常時は開き地震動が所定値を越えた時に閉じる感地震スイッチが設けられ、地震動が所定値を越えた時に、感地震スイッチが閉じて制御回路を作動し、制御回路の作動により各保護エアバッグ装置のインフレータを作動させ、折り畳まれた保護エアバッグを急激に膨張させ、各保護エアバッグを作品のまわりに膨出させ、作品のまわりに膨出した複数の保護エアバッグにて作品の転倒又は転倒による損傷を防止するようにしたことを特徴とする美術品等の保護装置。
【発明の詳細な説明】
【０００１】
【産業上の利用分野】
この発明は、美術品等の貴重な作品を地震から保護する美術品等の保護装置に関する。
【０００２】
【従来の技術】
従来の美術品等の貴重な作品の保護方法には、例えば、（１）作品をボルト等を使ってその支持体に固定する方法、（２）作品をテグス等の線体を使ってその支持体に固定する方法、及び（３）作品の支持体等に免震又は制振装置を取付け、作品の地震時の揺れを抑える方法（例えば、実開昭６２−１６９６６１号公報参照）等がある。
【０００３】
【発明が解決しようとする課題】
上記（１）の方法は、作品の重量とそのバランスを考慮しないと、柔軟性を失い、地震時にボルトで止めている部分から作品が折れることがあり、また、ボルトで固定できない形状の作品も多いという欠点がある。
上記（２）の方法は、見やすいように立てて展示したい作品（皿類）もテグス等の線体で固定しようとすると、固定し易い平置きにしなければならないなどの見た目が悪くなる欠点がある。
上記（３）の方法は、建物自体に免震又は制振装置を設ける場合と、作品の展示ケース等に免震又は制振装置を設ける場合とがあるが、何れの場合も、複雑な構造の免震又は制振装置を使う必要があり、建物、展示ケース等が高価なものになってしまう欠点がある。
この発明の解決しようとする課題は、上記（１）〜（３）の従来技術のような欠点を有しない美術品等の保護装置を提供すること、換言すると、比較的に構造が簡単で、地震時に展示される状態にある美術品等の貴重な作品の転倒を防止し或は前記作品が転倒しても作品の損傷を防止することができる美術品等の保護装置を提供することにある。
【０００４】
【課題を解決するための手段】
この発明は、前記課題を解決するための手段として、次の構成を採用する。
この発明の構成は、展示される状態にある美術品等の貴重な作品の上方、下方又は側方の平常時の作品の鑑賞の妨げにならない前記作品から離れた所に複数の保護部材が設けられ、地震動が所定値を越えた時に、保護部材が作品の周囲に降下、上昇又は突出し、降下、上昇又は突出した保護部材にて作品の転倒又は転倒による損傷を防止するようにしたことを特徴とする美術品等の保護装置にある。
保護部材を作品の側方に設ける場合は、特に、作品が見にくくならない位置に保護部材を設ける。
保護部材としては、例えば、保護スクリーン、保護エアバッグを使う。
好ましい実施形態においては、例えば、次の（１）及び（２）のようにする。
（１）展示される状態にある美術品等の作品の上方に支持体を設け、下端に錘の付いた折り畳んだ保護スクリーンの上端を支持体で支持し、作品の上方に可動支持片を設け、該可動支持片にて保護スクリーンを折り畳まれた状態で平常時の作品の鑑賞の妨げにならない所に支持し、地震動が所定値を越えた時に、可動支持片を動かして、可動支持片による保護スクリーンの支持をやめ、錘等に作用する重力により保護スクリーンを作品の周囲に降下させ、作品の周囲に降下した保護スクリーンにて作品の転倒又は転倒による損傷を防止する、すなわち、作品を保護するようにする。
（２）展示される状態にある美術品等の貴重な作品の下方、上方又は側方の平常時の作品の鑑賞の妨げにならない前記作品から離れた所に複数の保護エアバッグ装置を設け、保護エアバッグ装置を折り畳んだ保護エアバッグ、インフレータ等で構成し、地震動が所定値を越えた時に、インフレータを作動させて折り畳まれた状態の保護エアバッグを急激に膨張させ、膨張した保護エアバッグを作品のまわりに膨出させ、作品のまわりに膨出した保護エアバッグにて作品の転倒又は転倒による損傷を防止する、すなわち、作品を保護するようにする。
【０００５】
上記の（１）の場合には、例えば、美術品等の貴重な作品の展示ケースを底板と上板と複数の側板とからなる箱状体で構成し、各側板の上部を透視できないように構成し、蛇腹状に折り畳まれかつその下端に錘の付いた保護スクリーンを箱状体内の上部に複数配し、各保護スクリーンの上端を展示ケースの上端（例えば、上板の下面）に固着し、箱状体内の上部に複数の可動支持片を設け、可動支持片により各保護スクリーンを蛇腹状に折り畳まれた状態で支持し、地震動が所定値を越えた時に、検知手段にてその地震動を検知されて各可動支持片を動かし、可動支持片による各保護スクリーンの支持をやめ、錘等に作用する重力により保護スクリーンを作品の周囲に降下させ、作品の周囲に降下した保護スクリーンにて作品を保護するようにする。
上記検知手段としては、保護スクリーンの錘の動きを検知するものを使ってもよいし、地震動自体を計器で直接検知するものを使ってもよい。
【０００６】
上記の（２）の場合には、例えば、美術品等の貴重な作品の下方の支持部の周囲の平常時の作品の鑑賞の妨げにならない前記支持部から離れた支持床内に平面視で作品を囲むように複数の保護エアバッグ装置を設け、各保護エアバッグ装置が折り畳んだ保護エアバッグ、インフレータ及び制御回路で構成され、該制御回路中に常時は開き地震動が所定値を越えた時に閉じる感地震スイッチが設けられ、地震動が所定値を越えた時に、感地震スイッチが閉じて制御回路が作動し、制御回路の作動により各インフレータが作動して、折り畳まれた保護エアバッグを急激に膨張させ、各保護エアバッグを作品のまわりに膨出させ、作品のまわりに膨出した複数の保護エアバッグにて作品を保護するようにする。
また、美術品等の作品の展示ケースを底板と上板と複数の側板とからなる箱状体で構成し、作品の下方、上方又は側方に保護エアバッグ装置を設け、地震動が所定値を越えた時に、保護エアバッグ装置のインフレータを作動させて折り畳まれた保護エアバッグを急激に膨張させ、膨張させた保護エアバッグを作品のまわりに膨出させ、作品のまわりに膨出した保護エアバッグにて作品を保護するようにしてもよい。
【０００７】
【作用】
この発明の美術品等の保護装置は、美術品等の貴重な作品の上方、下方又は側方の平常時の作品の鑑賞の妨げにならない前記作品から離れた所に複数の保護部材が設けられ、地震動が所定値を越えた時に、保護部材が作品の周囲に降下、上昇又は突出し、降下、上昇又は突出した保護部材にて作品を保護するようになっているから、作品が転倒するような大きな地震動が発生しても、作品の転倒を防止することができ、或は作品が転倒してもその破損（損傷）を防止できる。
【０００８】
【実施例】
実施例１は、図１〜図６に示され、この出願の発明を美術品等の作品Ａ１の展示ケース１に適用した例である。
展示ケース１は、図１〜図４に示すように、底板２と、上板３と、４つの側板４とからなる直方体状の箱体で構成されている。各側板４の上部部分は透視できない材料からなる見切り４ａで構成され、それらの下方部分はガラス等の透明板４ｂで構成されている。
展示ケース１の上板３の下方に、厚手の布帛を蛇腹状に折り畳んだ保護スクリーン５が配され、保護スクリーン５の上端５ａが上板３の下面に固着され、保護スクリーン５の下端５ｂに角棒の錘５ｃが取付けられている。下端５ｂに錘５ｃを取付けた保護スクリーン５は、図２に示すように、平面視で底板２の上に置かれた壺（作品）Ａ１の四方を囲むように、壺（作品）Ａ１から離れた各見切り４ａの内側にこれらと略平行に設けられている。
各見切り４ａの下縁と同じ水準か又は前記下縁より少々上に天井６が配され、上端を上板３の下面に固着した吊り杆７と見切り４ａとにより天井６が支持されている。
【０００９】
天井６には、蛇腹状に折り畳んだ保護スクリーン５の平面視の形状よりも少々大きい開口８が形成され、開口８の縁には、図３〜図５に示すように、それぞれフランジ状に案内板９が設けられ、対向する２つの案内板９の間の隙間に角棒の錘５ｃを嵌めるようになっている。
地震検知片１１、可動スイッチ１２、錘支持片１３等からなる検知支持装置１０を、例えば、図２に示すように、一つの開口８に対して４箇ずつ設ける。
検知支持装置１０の地震検知片１１は、図５に示すように、案内板９の貫通孔９ａ及び案内板９に設けた枠体１４の貫通孔１４ａに摺動自在に挿入され、地震検知片１１の先端１１ａが開口８内に突出するようにスプリング１５にて賦勢されている。検知支持装置１０の可動スイッチ１２は、枠体１４の貫通孔１４ｂに摺動自在に挿入され、可動スイッチ１２の上端部１２ａが地震検知片１１の突部１１ｂに当接するようにスプリング１６にて賦勢されている。可動スイッチ１２の下端のスイッチ部１２ｂは、図５及び図６に示すように、制御回路１８の端子１８ｄ、１８ｅに対向して配置されている。検知支持装置１０の錘支持片１３は、案内板９の貫通孔９ｂ及び枠体１４の貫通孔１４ｃに摺動可能に挿入され、錘支持片１３の先端１１ａが開口８内に突出して角棒の錘５ｃを支持し得るようにスプリング１７にて賦勢されている。また、錘支持片１３の中途の周囲には電磁コイル１８ｆが設けられている。
制御回路１８は、図６に示すように、電源１８ａ、電源スイッチ１８ｂ、コンデンサ１８ｃ、端子１８ｄ、端子１８ｅ、可動スイッチ１２（スイッチ部１２ｂ）、電磁コイル１８ｆ等で構成されてる。図６には、一つの開口８に対して用いるものとして、可動スイッチ１２及び電磁コイル１８ｆを並列に４箇設けた制御回路１８が図示されている。しかし、可動スイッチ１２及び電磁コイル１８ｆを並列に１６箇設け、四つの開口８に用い得るように制御回路１８を構成してもよいし、検知支持装置１０の地震検知片１１と錘支持片１３とを分離して、地震検知片１１の数を錘支持片１３の数よりも少なくしてもよい。
【００１０】
次に、実施例１の展示ケース１の使い方を説明する。
展示ケース１を展示場に置き、錘付き保護スクリーン５を天井６の上側に収容し、錘５ｃの下面を錘支持片１３で支持し、展示ケース１の底板２の略中央に、例えば、壺（作品）Ａ１をおいて展示する。
展示中に大きい地震が発生した場合には、前後左右の錘付き保護スクリーン５が水平方向に移動し、その何れかの錘５ｃが地震検知片１１の先端１１ａを水平方向に押して、地震検知片１１がある程度以上移動すると、可動スイッチ片１２の上端部１２ａと地震検知片１１の突部１１ｂとの係合が外れ、スプリング１６の賦勢力により可動スイッチ１２が上方に移動し、可動スイッチ１２のスイッチ部１２ｂが制御回路１８の端子１８ｄ及び１８ｅに接触してスイッチＳが閉じ、制御回路１８が作動する。そうすると、電磁コイル１８ｆが磁励され、その磁力により鍾支持片１３がスプリング１７の賦勢力に抗して移動させられ、錘支持片１３の先端の支持部が開口８外に引き出され、錘付き保護スクリーン５がそれに作用する重力により落下し得る状態になる。そのため、錘付き保護スクリーン５が錘等に作用する重力により落下して、壺Ａ１の前側面、後側面、左側面及び右側面を保護スクリーン５で覆う。従って、地震が美術品である壺Ａ１を転倒させ得る程大きいものであっても、その転倒を防止することができる。あるいは、転倒したとしてもその損傷を防ぐことができる。
【００１１】
実施例２は、図７及び図８に示され、この出願の発明を美術品のオブジエＡ２の展示場１９に適用した例である。
オブジェの展示場１９は、建物のオブジエＡ２を載置する支持床２０の面より下に、大きな地震が発生した時にオブジエＡ２の前側面、後側面、左側面、右側面等の周囲の面に対向して保護エアバッグ２４を膨出させ得るように、エアバッグ装置２１を平面視のオブジエＡ２の周囲のオブジエＡ２の支持床２０の支持部２０ａから離れた所に複数箇（例えば、４箇）配設する。
エアバッグ装置２１は、箱体２２、保護エアバッグの膨張時に開く扉２３、保護エアバッグ２４、インフレータ２５、地震時にインフレータ２５を作動させて保護エアバッグ２４を膨張させる制御回路２６等で構成されている。
箱体２２は、その上端に扉２３が開閉自在に設けられ、その扉２３が建物の床面２１ａと略面一になるように、支持床２０中に埋め込まれている。箱体２２内に保護エアバッグ２４が小さく折り畳んだ状態で収容され、箱体２２内にインフレータ２５が設けられ、インフレータ２５で発生させたガスを折り畳んだエアバッグ２４内に供給するようになっている。
インフレータ２５としては、例えば、インフレータ２５内の被点火物に点火して高圧ガスを急速に発生させ、発生させた高圧ガスを急速にエアバッグ２４内に供給し得るようになっているものを使う。
制御回路２６は、図８に示すように、電源２６ａ、電源スイッチ２６ｂ、コンデンサ２６ｃ、感地震スイッチ２６ｄ（平時は開き、地震動が所定値を越えたときに閉じるスイッチ）、点火発熱線２６ｅで構成されてる。図８には、二つのエアバッグ装置２１に対して用いるものとして、点火発熱線２６ｅを並列に２箇設けた制御回路２６が図示されているが、点火発熱線２６ｅを並列に２箇以上設けて、１箇の感地震スイッチ２６ｄで２箇以上のエアバッグ装置２１を作動させるようにしてもよい。
【００１２】
次に、実施例２のオブジエＡ２の展示場１９の使い方を説明する。
展示場１９の平面視で４箇のエアバッグ装置２１によって囲まれる空間の中央にオブジェＡ２を設置して観覧に供する。それから、大きい地震が発生し、地震動が所定値を越えると、感地震スイッチ２６ｄが閉じて、制御回路２６が作動する。そうすると、点火発熱線２６ｅが発熱してインフレータ２５内の被点火物に点火して高圧ガスを急速に発生させる。発生した高圧ガスは、急速にエアバッグ２４内に供給され、エアバッグ２４を急激に膨張させ、扉２３を開き、図７に２点鎖線で示す状態のエアバッグ２４’になるまで膨張する。従って、地震がオブジェＡ２を転倒させ得る程大きいものであっても、その転倒を防止することができる。或は、転倒したとしてもオブジェＡ２の損傷を防止することができる。
【００１３】
【発明の効果】
この発明は、特許請求の範囲の欄に記載した構成を備えることにより、次の（イ）〜（ヘ）の作用効果を奏する。
（イ）請求項１記載の美術品等の保護装置は、展示される状態にある美術品等の貴重な作品の上方、下方又は側方の平常時の作品の鑑賞の妨げにならない前記作品から離れた所に複数の保護部材が設けられ、地震動が所定値を越えた時に、保護部材が作品の周囲に降下、上昇又は突出し、降下、上昇又は突出した保護部材にて作品の転倒又は転倒による損傷を防止するようにしたから、作品が転倒するような大きな地震が発生しても、作品の転倒を防止することができ、或は作品が転倒してもその破損を防止することができ、文化的遺産である美術品等の貴重な作品を地震から保護することができる。
また、展示される状態にある美術品等の貴重な作品の上方、下方又は側方の平常時の作品の鑑賞の妨げにならない前記作品から離れた所に複数の保護部材を設け、地震動が所定値を越えた時に、保護部材が作品の周囲に降下、上昇又は突出し、降下、上昇又は突出した保護部材にて作品の転倒又は転倒による損傷を防止するから、美術品等の貴重な作品に手を加えて（保護部材を取り付けて）損傷するおそれがない。
（ロ）請求項２記載の美術品等の保護装置は、美術品等の貴重な作品の上方に支持体が設けられ、下端に錘の付いた折り畳んだ保護スクリーンの上端が支持体で支持され、作品の上方に可動支持片が設けられ、該可動支持片にて保護スクリーンが折り畳んだ状態で支持され、地震動が所定値を越えた時に可動支持片を動かして、可動支持片による保護スクリーンの支持をやめ、錘等に作用する重力により保護スクリーンを作品の周囲に降下させ、作品の周囲に降下した保護スクリーンにて作品の転倒又は転倒による損傷を防止するようにしたから、比較的に簡単な構成により、文化的遺産である美術品等の貴重な作品を地震から保護することができる。
【００１４】
（ハ）請求項３に記載されたようにすると、地震から美術品等の貴重な作品を保護できる展示ケースを容易に製作することができる。
（ニ）請求項４記載の美術品等の保護装置は、展示される状態にある美術品等の貴重な作品の下方、上方又は側方の平常時の作品の鑑賞の妨げにならない前記作品から離れた所に複数の保護エアバッグ装置が設けられ、保護エアバッグ装置が折り畳んだ保護エアバッグ、インフレータ等で構成され、地震動が所定値を越えた時に、インフレータを作動させて折り畳まれた保護エアバッグを急激に膨張させ、保護エアバッグを作品のまわりに膨出させ、作品のまわりに膨出した保護エアバッグにて作品の転倒又は転倒による損傷を防止するようにしたから、比較的に簡単な構成により、文化的遺産である美術品等の貴重な作品を地震から保護することができる。
また、展示される状態にある美術品等の貴重な作品の上方、下方又は側方の平常時の作品の鑑賞の妨げにならない前記作品から離れた所に複数の保護エアバッグ装置を設け、地震動が所定値を越えた時に、インフレータを作動させて折り畳まれた保護エアバッグを急激に膨張させ、保護エアバッグを作品のまわりに膨出させ、作品のまわりに膨出した保護エアバッグにて作品の転倒又は転倒による損傷を防止するから、美術品等の貴重な作品に手を加えて（すなわち、保護エアバッグ装置を取り付けて）損傷するおそれがない。
（ホ）請求項５に記載されたようにすると、展示される状態にある美術品等の貴重な作品の支持部の周囲の平常時の作品の鑑賞の妨げにならない前記支持部から離れた支持床内に平面視で作品を囲むように複数の保護エアバッグ装置が設けるから、作品の支持部をそのままにして、地震から美術品等の貴重な作品を保護できる支持床を容易に製作することができる。
（ヘ）この発明の美術品等の保護装置は、地震動が所定値を越えた時にのみ、その保護部材（例えば、保護スクリーン、保護エアバッグ）が作品の周囲に現出するようになっているから、平常時の作品の鑑賞の妨げにならない。
【図面の簡単な説明】
【図１】実施例１の本発明を適用した美術品等の展示ケースの斜視図
【図２】実施例１の展示ケースを図３のＡ−Ａ線で断面し矢印方向にみた平面図
【図３】実施例１の平常時の展示ケースを図２のＢ−Ｂ線で断面した正面図
【図４】実施例１の地震時の展示ケースを図２のＢ−Ｂ線で断面した正面図
【図５】実施例１の展示ケースの検知支持装置を図２のＢ−Ｂ線と同じ線で断面した正面図
【図６】実施例１の展示ケースの検知支持装置の制御回路図
【図７】実施例２の本発明を適用したオブジェの展示場の支持床を断面して示す正面図
【図８】実施例２のオブジェの支持床に設ける地震動の検知装置等の制御回路図
【符号の説明】
１  展示ケース
２  底板
３  上板
４  側板
４ａ  見切り
４ｂ  透明板
５  保護スクリーン
５ｃ  錘
６  天井
７  吊り杆
８  開口
９  案内板
１０  検知支持装置
１１  地震検知片
１２  可動スイッチ
１３  錘支持片
１４  枠体
１５〜１７  スプリング
１８  制御回路
１８ｆ  電磁コイル
１９  展示場
２０  支持床
２０ａ  支持部
２１  エアバッグ装置
２２  箱体
２３  扉
２４  エアバッグ
２５  インフレータ
２６  制御回路
２６ｄ  感地震スイッチ
２６ｅ  点火発熱線
Ａ１  壺
Ａ２  オブジェ
【図１】
0003569712.tif 000002
【図２】
0003569712.tif 000003
【図３】
0003569712.tif 000004
【図４】
0003569712.tif 000005
【図５】
0003569712.tif 000006
【図６】
0003569712.tif 000007
【図７】
0003569712.tif 000008
【図８】
0003569712.tif 000009